(57)【要約】【課題】インドアライフなどの趣味環境を持ち込むことのできる居住空間を容易に構成することができる建築物のパネル構造を提供する。【解決手段】３本の長尺状部材１６ａ〜１６ｃのそれぞれの両端を接合して三角枠状のトラスパネル１６を形成し、２枚のトラスパネル１６、１６を互いに６分の１回転ずらして略六角板状に積層させることによって建築物のパネル構造１３、１４を構成した。このようなパネル構造において、建築物が略六角形状の平面外観を有し、トラスパネルにより六角板状に形成されたトラスパネル積層構造が前記建築物の床面及び／又は天井面に支持部材として配置されていることを特徴とする。また、長尺状部材の両端を接合する接合部材、及びトラスパネルどうしを積層する積層部材が、ボルト孔を備えた金属プレートであることを特徴とする。【選択図】図５
0003138546.tif 000002
【実用新案登録請求の範囲】
【請求項１】
３本の長尺状部材のそれぞれの両端を接合して三角枠状のトラスパネルを形成し、２枚の前記トラスパネルを互いに６分の１回転ずらして略六角板状に積層させたことを特徴とする建築物のパネル構造。
【請求項２】
前記建築物が略六角形状の平面外観を有し、前記トラスパネルにより六角板状に形成されたトラスパネル積層構造が前記建築物の床面及び／又は天井面に支持部材として配置されていることを特徴とする請求項１記載の建築物のパネル構造。
【請求項３】
前記長尺状部材の両端を接合する接合部材、及び前記トラスパネルどうしを積層する積層部材が、ボルト孔を備えた金属プレートであることを特徴とする請求項１又は２記載の建築物のパネル構造。
【考案の詳細な説明】
【技術分野】
【０００１】
本考案は、六角形を基調とした構造の建築物のパネル構造に関し、より詳しくは、三角枠状のトラスパネルにした床構造及び天井構造を有する建築物のパネル構造に関する。
【背景技術】
【０００２】
最近、山間部または浜辺、あるいは自宅の庭などに種々のログハウスが造られ、シックハウス症候群などの発生もあって、ログハウスは以前に比べ身近なものとなっている。
このようなログハウス型構造物は、一般に板状に加工した木材或いは丸太を平行井桁状に載置することで壁体を構成し、加工木材或いは丸太の両端を交差、嵌合することによって構成されている（特許文献１）。
また、柱や梁に丸太を使った木造軸組工法では、この壁体に内外装ともに漆喰、モルタル、板などが主に使われる。
さらに、建築の支柱に市販のＨ鋼を用い、このＨ鋼の長溝に木材の端部を嵌め込んで建築するログハウスの建築方法が知られている（特許文献２）。
【特許文献１】特許２５３８４２０号公報
【特許文献２】特開２００６−１９４０５９号公報
【考案の開示】
【考案が解決しようとする課題】
【０００３】
しかし、前記従来のログハウス型などの建築物は、日本の気候風土や地震災害などの自然条件に対してその安全性や居住性が充分確保されたものとはいえず、主に次のような問題点がある。
（ａ）現代生活に合う多用途多機能な大空間を構成するには、天井面や床面の構造強度や丸太材の材料強度などの制約があり、建築物の気積、広さ、高さが限定される。
（ｂ）ログハウスにおける窓の位置、大きさは、その構造上の制約から自由度が限定される。このため外光量が不十分になる場合があり、健康衛生面での配慮が必要となる。
（ｃ）構造材となる丸太の外部露出部分には防虫、防腐、防かびの薬剤処理が必要であり、薬剤によるシックハウス症を誘発させる恐れがあった。
（ｄ）丸太が乾燥によって曲がったり、割れたりして、丸太との間に隙間できる。このため、建物の断熱性や、気密性、遮音性が劣化する。
（ｅ）経年変化した材料と新しい材料ではその乾燥収縮の変化率が異なるため馴染まず、その建築物の増築や改造に際して精度を維持することが難しい。
【０００４】
本考案は、前記従来技術の問題点を解決するためになされたものであって、
インドアライフなどの趣味環境を持ち込むことのできる居住空間を容易に構成することができる構造強度を有するとともに、構造安定性やデザイン性、健康衛生性、断熱性、気密性、遮音性などに優れた建築物のパネル構造を提供することを目的とする。
【課題を解決するための手段】
【０００５】
（１）前記課題を解決するためになされた本考案の建築物のパネル構造は、３本の長尺状部材のそれぞれの両端を接合して三角枠状のトラスパネルを形成し、２枚の前記トラスパネルを互いに６分の１回転ずらして略六角板状に積層させるように構成されている。
【０００６】
（２）本考案の建築物のパネル構造は前記（１）において、前記建築物が略六角形状の平面外観を有し、前記トラスパネルにより六角板状に形成されたトラスパネル積層構造が前記建築物の床面及び／又は天井面に支持部材として配置されていることにも特徴を有している。
【０００７】
（３）本考案の建築物のパネル構造は前記（１）又は（２）において、  前記長尺状部材の両端を接合する接合部材、及び前記トラスパネルどうしを積層する積層部材が、ボルト孔を備えた金属プレートであることにも特徴を有している。
【考案の効果】
【０００８】
本考案の建築物のパネル構造によれば、三角枠状に形成された２枚のトラスパネルを積層させることで略六角板状に形成しているので、その構造強度が高められたパネル面に重量物を吊り下げたり載置したりすることができるとともに、設計の自由度を大きくしてインドアライフなどの趣味環境を持ち込むことのできる居住空間を容易にデザインできる。また、構造安定性や健康衛生性、断熱性、気密性、遮音性などに優れた建築物を提供できる。
【考案を実施するための最良の形態】
【０００９】
本実施形態の建築物のパネル構造は、３本の長尺状部材のそれぞれの両端を接合して三角枠状のトラスパネルを形成し、２枚の前記トラスパネルを互いに６分の１回転ずらして略六角板状に積層させるように構成されている。これによって、構造強度に優れた床や天井などを構築してインドアライフなどの趣味環境を持ち込むことができ、構造安定性にも優れた居住空間を容易に構成することができる。また、壁材などにログパネルを採用することによって健康衛生性、断熱性、気密性、遮音性に優れた建築物を提供することができる。
【００１０】
トラスパネルは、Ｈ型鋼材などの鋼材や、丸太材、木質角材などの長尺状部材のそれぞれの両端を接合して三角枠状に形成したものである。一般的な在来木造住宅などでは、構造部に屋根梁方式の小屋組を採用することが多く、スパンが長くなるに従って構造部にかかる曲げ応力も増大するため、梁の断面寸法を大きくする必要がある。トラスパネルは長尺状部材によって三角形のユニットとして構成されるので、この曲げ応力を軸力に変換でき、容易に撓むことのない構造強度を有している。こうして、構造躯体の信頼性を向上させ、部材自体の断面積を小さくすることで建築物の高性能化や施工の合理化を図ることができる。
【００１１】
また、本実施形態の建築物のパネル構造は、前記建築物が略六角形状の平面外観を有し、前記トラスパネルにより六角板状に形成されたトラスパネル積層構造が前記建築物の床面及び／又は天井面に支持部材として配置することもできる。これによって、六角形状の外観をなす建築物における構造の強度や剛性を高めることができる。したがって、例えば、建築物内を趣味空間として利用する場合などに、天井に重量物を吊り下げたり、床に載置したりする際にその荷重面が撓むことなく安定に保持することができ、パネル状構造体としての信頼性の向上を図ることができる。
【００１２】
本実施形態の建築物のパネル構造は、前記長尺状部材の両端を接合する接合部材及び、前記トラスパネルどうしを積層する積層部材がボルト孔を備えた金属プレートとすることもできる。これによって、その接合部における接合強度や耐候性を高めて構造信頼性を向上させることができるとともに、建築物の施工における簡素化や合理化を図ることでその建築コストを低減することができる。
【００１３】
さらに、本実施形態の建築物のパネル構造は、原木の丸太を素材として平面状に形成されたログパネルがその内装材や外装材として配置され前記建築物がログハウス風に形成することもできる。これによって、ログパネルを現場施工ではなく工場でも生産できるため、廃材の発生が大幅に抑えられ、現場の環境保全や事故防止に加え、廃材処理費を低減できる。さらに、工場生産品であるため、常に均質な製品が供給され、施工者の熟練度によって建築物の精度が左右されることもなく、建築コストをさらに削減できる。
【００１４】
以下、本実施形態に係る建築物のパネル構造について図面を参照しながらさらに具体的に説明する。
図１は建築物のパネル構造が適用されるログハウス風建築物の正面図であり、図２はログハウス風建築物の平面図であり、図３はログハウス風建築物の側面図である。
図１〜図３に示すようにログハウス風建築物１０は、その外壁が六角形状となった住居空間あるいは趣味空間を有するメインホール部１１と、このメインホール部１１につながる略矩形状に形成された玄関ホール部１２とで構築される鉄骨構造により構成されている。そしてメインホール部１１及び玄関ホール部１２には丸太組などを模したログパネルなどで内装されるとともに、メインホール部１１の床及び天井は六角形状をなすパネル構造１３、１４によって配置支持されるようになっている。
なお、ログハウス風建築物１０の天井部分をなすパネル構造１４には、略ドーム状に形成された屋根部１５が覆設され、屋根部１５とパネル構造１４との間にもアウトドア趣味や居住用としても利用可能な空間が形成されている。
【００１５】
パネル構造１３、１４は、トラスパネル１６を２枚積層させて構成されたものであり、このようなトラスパネル１６は、図４に示すように、長尺状部材１６ａ〜１６ｃのそれぞれの両端を接合部材１７を介して接合して三角枠状に形成したものである。
そして、図５に示すように、これら２枚のトラスパネル１６、１６を互いに６分の１回転ずらした状態に重ねて全体が略六角板状となるように両者を配置し、ボルト孔を備えた金属プレート（積層部材）１８を介して積層させることによってパネル構造１３、１４としている。
【００１６】
長尺状部材１６ａ〜１６ｃは、例えば、それぞれの長さが約７ｍ、好ましくは５〜９ｍ、Ｈ型断面の高さや幅が約５〜２０ｃｍのＨ型鋼材などであって、その各両端部には結合用のボルト孔が多数形成されたものである。
長尺状部材１６ａ〜１６ｃ間、及び、トラスパネル１６間をそれぞれ結合するための接合部材１７と金属プレート１８は、例えば、その厚みが約３〜３０ｍｍのステンレス製又はスチール製板材を素材として、図示するように、各接合部分に応じた所要形状に裁断形成されている。そして、接合部材１７や金属プレート１８には、長尺状部材１６ａ〜１６ｃなどのボルト孔の位置に対応して結合用のボルト孔がその接合面に穿孔されている。
【００１７】
メインホール部１１や玄関ホール部１２の外壁となる部分は、その床及び天井をなすパネル構造１３、１４を支持して基礎上に立設された支柱部材１０ａによって構成される。そして、支柱部材１０ａにより囲まれて外壁部分をなす矩形状枠組には、構造強度を高めるための筋交い部材１０ｂが配置されている（図３参照）。
なお、支柱部材１０ａ及び筋交い部材１０ｂは、前記長尺状部材１６ａ〜１６ｃと同様に工業製品として容易に入手できるＨ型鋼材や木質材などを適用することができる。
【００１８】
図６はトラスパネルにより構成されるパネル構造の変形例である。本変形例におけるパネル構造２０は、前記メインホール部１１と玄関ホール部１２とが一体的な鉄骨構造の組み合わせによって構成されるようにしたものである。
本変形例におけるパネル構造２０は、図７に示すようなトラスパネル２１をその構成単位としている。そして、３本の長尺状部材１６ａ〜１６ｃにより三角枠状に形成されるトラスパネル２１の各頂点接合部にはその近接する長尺状部材に対して３０度の角度で配置され、外枠部を構成するための長尺状枠部材２２の端部が接合部材２３を介して相互に接合されている。
これら２枚のトラスパネル２１を互いに６分の１回転ずらして略六角板状に積層させることによって、建築物自体に所定の構造強度を確保することができるとともに、六角形状の形態を有したデザイン性を建築物に付与できるようにしている。
【００１９】
なお、本実施形態における建築物のパネル構造を有した高機能構造体では、その外壁、軸組などの構造機能を備えた長尺状部材や金属プレートなどを市販の工業製品で分担することができるので、コスト的に有利であるばかりでなく、その内装材として丸太材料などからなるログパネルを用いることで室内部における意匠的効果と木材の持つ機能的効果とを発揮させることができる。すなわち、丸太の形状や木肌の美しい色、艶は自然のままの状態で内装表面にあらわすことができ、その丸太の一本毎に美しく味わいあるものとすることができる。なお、このような内装材の施工に際しては、丸太の外皮除去、丸太両端の定寸法切り、コーチスクリューによる固定などの作業内容を必要とする。
【００２０】
また、建築物の床面及び天井面となるパネル構造とは独立に筋交いなどを有した外壁構造を設けることができるため、開口部の位置、大きさ、室内の面積や高さ、気積が自由に設計できる。しかも内装材としてログパネルを配置することもできるので、その丸太部分に防虫、防腐、防かびなどの薬剤処理を必要としないなどの利点がある。
丸太材料を配置することによって室内部の湿度調整機能を期待できるので、博物館などと同様の収蔵機能を持たせることができる。このようにして木質材の湿度調整機能と丸太材の外観が持つ暖か味や柔らか味を持ったデザイン性など活かして、室内の快適住環境を実現して健康な体と精神を養うのに効果的な建築物とすることができる。
【００２１】
また、ログハウス風建築物１０のメインホール部１１は、その床及び天井となる部分がパネル構造１３、１４に支持された強固な構造体とすることができる。このため、アウトドアライフで用いるカヌーや自動車などをその天井に吊り下げたり、床面に配置したりして展示することもでき、建築物で開催される各種イベントなどに対して利用可能な趣味空間や住居空間を、柔軟かつ容易にデザイン設計することができる。
さらに、自動車の好きな人などはベッド近くにその愛車を置いたり、組立てたハングライダーを天井に広げたり、手造りカヌーを壁に掛けたりすることによって、アウトドアーライフを建築物の趣味空間に取り入れた演出を行うことが可能となる。
【００２２】
また、このようなパネル構造により構成される高機能構造体においては、例えば、精度、強度、断熱、気密、遮音、気積、電化、耐久、耐力、免震、防火、広さ、高さ、増築、改造、嗜好、健康、シックハウス、緑化、分離分割発注、自分で家造り、家造り資金低減、遊び心、などに対応させることができる。なお、パネル構造は、アウトドアーライフで使う道具類を室内に取り込むために、道具類を床や壁や天井に置く、引掛ける、吊るすことを想定した面積、容積、構造強度の構造体とする。このような道具類を身近に置けて常に点検できる状況とすることは、道具類の安全性確保に向けての効果も大きく、趣のある愉快な空間を構成することでもある。
【産業上の利用可能性】
【００２３】
本考案の建築物のパネル構造は以上のような構成を有するものであるから、例えばアウトドアーライフで用いるカヌーやハングライダー、その道具類などをその床や天井に演出配置して楽しむことができるログハウス風などの建築物に適用することができ、構造強度や構造安定性、デザイン性、健康衛生性、断熱性、気密性、遮音性などに優れた建築物のパネル構造を提供できる。
【図面の簡単な説明】
【００２４】
【図１】建築物のパネル構造が適用されるログハウス風建築物の正面図である。
【図２】同ログハウス風建築物の平面図である。
【図３】同ログハウス風建築物の側面図である。
【図４】トラスパネルの平面図である。
【図５】トラスパネルにより構成されるパネル構造の平面図である。
【図６】同パネル構造の変形例である。
【図７】変形例のパネル構造を構成するトラスパネルの平面図である。
【符号の説明】
【００２５】
１０    ログハウス風建築物（建築物）
１０ａ    支柱部材
１０ｂ    筋交い部材
１１    メインホール部
１２    玄関ホール部
１３、１４    パネル構造
１５    屋根部
１６    トラスパネル
１６ａ〜１６ｃ    長尺状部材
１７    接合部材
１８    金属プレート（積層部材）
２０    変形例のパネル構造
２１    トラスパネル
２２    長尺状枠部材
２３    接合部材
【図２】
0003138546.tif 000003
【図４】
0003138546.tif 000004
【図５】
0003138546.tif 000005
【図６】
0003138546.tif 000006
【図７】
0003138546.tif 000007
【図１】
0003138546.tif 000008
【図３】
0003138546.tif 000009